(57)【特許請求の範囲】
【請求項１】
反射部材が取付けられる器具本体に、蛍光ランプが取付けられるランプソケットが支持されると共に、前記器具本体に取付けた安定器取付け台に着脱可能に安定器をセットし得るようにした照明器具であって、
前記安定器取付け台は、前記器具本体の下面に固設するための水平方向へ延在する天井部と、該天井部の長手方向一端側に設けられたブロック状部と、前記天井部の長手方向他端側に枢支されて、垂直面内を回動し得るようにした押えを備え、
前記ブロック状部の前記押さえに対向した面に形成した複数の孔には、押え側に向いた側が開口したクリップ状のコネクタが夫々嵌め込まれて設けられ、
前記押えは、前記天井部の長手方向他端側に枢支された縦部材と、該縦部材の下端に設けられて前記縦部材が垂直となるよう回動した際には、先端は前記ブロック状部に向くようにした水平部材を備え、
前記安定器は、前記安定器取付け台のブロック状部と押えと天井部とで包囲される空間に収まる直方体形状をなし、
前記ブロック状部の複数の孔を形成した面に対向する前記安定器の側面には、前記安定器取付け台のブロック状部と押えと天井部とで包囲される空間に安定器が収まる際前記各コネクタに嵌合して電気的に接続される刃状突起が設けられ、
前記安定器が、前記安定器取付け台のブロック状部と押えと天井部とで包囲される空間にセットされた際には、前記押えの水平部材が安定器の下面を支持するよう構成されている
ことを特徴とする照明器具。
【請求項２】
前記安定器取付け台のブロック状部の下面には、スイッチが取付けられている請求項１に記載の照明器具。
【請求項３】
前記押えの前記水平部材の、先端が前記ブロック状部に向くように位置した際の上面には突起部が形成され、
前記安定器の下面には、前記安定器を前記安定器取付け台のブロック状部と押えと天井部とで包囲される空間にセットされた際には、前記水平部材に形成した突起部が嵌合し得る凹部が形成されている
請求項１又は請求項２に記載の照明器具。
【請求項４】
前記安定器取付け台には、蛍光ランプを取付けるためのランプソケットが接続されたランプ線が接続されている請求項１乃至３の何れかに記載の照明器具。
【請求項５】
前記安定器には、前記安定器取付け台の前記ブロック状部に設けた案内部に嵌入する被係合突起が設けられ、
前記スイッチには、スイッチを入りにした際に被係合突起の溝に係合し、切りにした際に被係合突起の溝から離脱する係合部材が設けられている請求項１乃至４の何れかに記載の照明器具。
【発明の詳細な説明】
【技術分野】
【０００１】
本発明は照明器具に関する。
【背景技術】
【０００２】
蛍光灯を備えた照明器具には、始動電圧を与えたり電流を制限するために安定器が備えられている。而して、安定器は劣化したり機能が向上したものが開発された場合には、交換する必要がある。而して、従来の安定器の交換の仕方を図１７〜図２２により説明する。図１７中、１は建造物における部屋の天井部に設置された複数の照明器具、２は配線ケーブル、２ａは配線ケーブル２が分電盤に至る電源側ケーブル、３は同一回路の全ての照明器具１を同時に入り切りするために室内壁面に設置されたスイッチ、３ａは分電盤側に設けられた配線用遮断器である。
【０００３】
図１８は照明器具１の分解斜視図で、天井板４上面の天井裏内には、天井板４に形成した矩形孔４ａを通った器具本体５が位置しており、天井内コンクリートスラブに取付けられて垂下された吊ボルト６の下端は器具本体５の長手方向両側に形成したボルト通し孔５ａを貫通して下方へ突出しており、吊ボルト６の器具本体５から下方へ突出したネジ部には、座金７を介してナット８が螺合され、これにより器具本体５は天井裏において吊ボルト６に固定されるようになっている。又、器具本体５の長手方向両側に設けた支え９の幅方向両側における縁面９ａは天井板４の下面を支持し、天井板４を押えている。
【０００４】
器具本体５の下面には安定器１０が取付けられている。すなわち、安定器１０の長手方向両端部に形成したネジ通し孔１０ａには、止めビス１１が貫通して器具本体５に形成したネジ孔５ｂに螺合されることにより、安定器１０は器具本体５に固設されている。安定器１０の長手方向一端側には、４本のランプ線１２と２本のランプ線１３が接続されており、ランプ線１２には、２本に対し１個のランプソケット１４（合計２個）が連結されており、ランプ線１３には夫々ランプソケット１５が接続されている。２個のランプソケット１５はランプ線１６により接続されている。
【０００５】
安定器１０の長手方向他端側には、電源線１７を介して端子台１８が接続されており、端子台１８は器具本体５の下面にビス止めにより固設されている。又、端子台１８の電源線１７接続側とは反対の側には、２本の電源線１９と１本の接地線２０とが接続されており、電源線１９及び接地線２０はまとめられて配線ケーブル２１（図１７の配線ケーブル２に相当）として電源側へ延在している。
【０００６】
ランプソケット１４，１５は、器具本体５の長手方向両外側端側に設けた支え９に取付け得るようになっている。すなわち、図１９に示すように、ランプソケット１４，１５の幅方向両側上部には、器具本体５の長手方向へ延在する溝２２が形成されており、溝２２は支え９に形成した切欠き２３の幅方向両側における縁部２３ａに嵌合することにより、支え９に対し着脱可能に固設されるようになっている。
【０００７】
又、器具本体５の下面には、天井面を有する箱形状の反射部材２４が取付けられている。すなわち、反射部材２４の天井面における長手方向両端部に形成したネジ孔２４ａには、化粧ビス２５が貫通して器具本体５の長手方向両側に形成したネジ通し孔５ｃに螺合されることにより、反射部材２４は器具本体５に固設されている。反射部材２４の天井面における長手方向両側には、反射部材２４を器具本体５に取付ける際にランプソケット１４，１５が干渉しないよう、切欠き２４ｂが設けられている。
【０００８】
而して、反射部材２４が器具本体５に取付けられた場合には、各２個のランプソケット１４，１５は反射部材２４内に対向配置されており、長手方向両側の対となるランプソケット１４，１５に対しては蛍光ランプ２６が着脱可能に取付けられている。本例の場合蛍光ランプ２６は２本である。
【０００９】
上記照明器具において図１７に示す照明器具１のうちの何れかの照明器具１の安定器１０を交換する場合には、先ず、分電盤内の当該電源ケーブル２ａが接続されている配線用遮断器３ａを切り、次いで、スイッチ３を切って同一回路の照明器具１を停電させ、しかる後、安定器１０を交換する照明器具１の２本の蛍光ランプ２６を取外し、図１８に示す化粧ビス２５を除去して反射部材２４を取外す（反射部材２４を取外した状態は図２０参照）。
【００１０】
次いで、端子台１８の電源線１７を図２０のイの位置で切断すると共に、ランプソケット１４，１５を支え９の切欠き２３の縁部２３ａに対しスライドさせて支え９から外すか、或はランプ線１２を図２０のロの位置で、又、ランプ線１３を図２０のハの位置で切断する。しかる後、止めビス１１（図１８参照）を除去して安定器１０を器具本体５から取外す。
【００１１】
一方、予め用意しておいた図２１に示すような新しい安定器１０を止めビス１１により器具本体５の下面に固設し、新しい安定器１０側の電源線１７と器具本体５に固設されている端子台１８側の電源線１７を工具を用いて結線し、ランプソケット１４，１５の溝２２を支え９の切欠き２３の縁部２３ａに対し摺動させることにより、ランプソケット１４，１５を器具本体５の両側において支え９に取付ける。
【００１２】
又、ランプソケット１４，１５を器具本体５側から取外してはおらず、ランプ線１２，１３を切断してある場合は、新しい安定器１０側の電源線１７と器具本体５に固設されている端子台１８側の電源線１７を工具を用いて結線した後、新しい安定器１０側のランプ線１２，１３とランプソケット１４，１５側に残っているランプ線１２，１３とを工具を用いて結線する（図２２参照）。
【００１３】
器具本体５に新しい安定器１０が取付けられると共に、所定の結線が行なわれたら、次いで反射部材２４を化粧ビス２５により器具本体５の下面に固設し、ランプソケット１４，１５に照明器具１の２本の蛍光ランプ２６をセットする。これで、照明器具１は使用可能な状態に復旧する。
【００１４】
反射部材を取外した状態で安定器を交換可能とした先行技術として例えば特許文献１に示すようなものがある。
【特許文献１】特開２００２−２３１０１０号公報
【発明の開示】
【発明が解決しようとする課題】
【００１５】
図示した安定器１０を交換する場合は、同一回路内にある交換しなくても良い安定器１０を備えた照明器具１をも停電させる必要があるため、作業場所が暗くて作業が不便であり、又、ランプソケット１４，１５を取外したり取付けたり、或はランプ線１２，１３や電源線１７を切断したり結線したりしなけばならないため、作業が煩雑で時間が掛かり、又、結線作業時に誤結線の虞もあり、更に、接続は結線で行なっており標準仕様ではないため、安定器１０と交換した場合はＰＬ法上の保証範囲が変わってしまい、具合が悪い。
【００１６】
本発明は、上述の実情に鑑み、照明器具の安定器を交換する場合に、安定器を交換しない照明器具は停電させる必要がなく、且つ、結線作業を不要として作業の迅速化及び誤結線の防止を図り、更には、ＰＬ法上の保証範囲が替らないようにした安定器を備えた照明器具を提供することを目的としてなしたものである。
【課題を解決するための手段】
【００１７】
本発明の請求項１の照明器具は、
反射部材が取付けられる器具本体に、蛍光ランプが取付けられるランプソケットが支持されると共に、前記器具本体に取付けた安定器取付け台に着脱可能に安定器をセットし得るようにした照明器具であって、
前記安定器取付け台は、前記器具本体の下面に固設するための水平方向へ延在する天井部と、該天井部の長手方向一端側に設けられたブロック状部と、前記天井部の長手方向他端側に枢支されて、垂直面内を回動し得るようにした押えを備え、
前記ブロック状部の前記押さえに対向した面に形成した複数の孔には、押え側に向いた側が開口したクリップ状のコネクタが夫々嵌め込まれて設けられ、
前記押えは、前記天井部の長手方向他端側に枢支された縦部材と、該縦部材の下端に設けられて前記縦部材が垂直となるよう回動した際には、先端は前記ブロック状部に向くようにした水平部材を備え、
前記安定器は、前記安定器取付け台のブロック状部と押えと天井部とで包囲される空間に収まる直方体形状をなし、
前記ブロック状部の複数の孔を形成した面に対向する前記安定器の側面には、前記安定器取付け台のブロック状部と押えと天井部とで包囲される空間に安定器が収まる際前記各コネクタに嵌合して電気的に接続される刃状突起が設けられ、
前記安定器が、前記安定器取付け台のブロック状部と押えと天井部とで包囲される空間にセットされた際には、前記押えの水平部材が安定器の下面を支持するよう構成されているものである。
【００１８】
本発明の請求項２の照明器具においては、前記安定器取付け台のブロック状部の下面には、スイッチが取付けられており、
請求項３の照明器具においては、前記押えの前記水平部材の、先端が前記ブロック状部に向くように位置した際の上面には突起部が形成され、
前記安定器の下面には、前記安定器を前記安定器取付け台のブロック状部と押えと天井部とで包囲される空間にセットされた際には、前記水平部材に形成した突起部が嵌合しうる凹部が形成されており、
請求項４の照明器具においては、前記安定器取付け台には、蛍光ランプを取付けるためのランプソケットが接続されたランプ線が接続されており、
請求項５の照明器具においては、前記安定器には、前記安定器取付け台の前記ブロック状部に設けた案内部に嵌入する被係合突起が設けられ、
前記スイッチには、スイッチを入りにした際に被係合突起の溝に係合し、切りにした際に被係合突起の溝から離脱する係合部材が設けられている。
【発明の効果】
【００１９】
本発明の請求項１〜５に記載の照明器具によれば、下記のごとき種々の優れた効果を奏し得る。
Ｉ）安定器取付け台にはスイッチが設けられているため、安定器を交換する照明器具のみ停電させることができ、従って、他の照明器具は停電させずに使用することができ便利である。
ＩＩ）安定器は安定器取付け台に容易に取付けたり、取外したりできるため、安定器の安定器取付け台に対する脱着をワンタッチで行なうことができ、従って、作業時間を大幅に短縮でき能率が向上する。
ＩＩＩ）安定器と安定器取付け台とは、刃状突起及びコネクタを介して電気的に接続されており、安定器と安定器取付け台との間に電源線が不要であるため、誤結線が生じず照明器具の信頼性が向上する。
ＩＶ）電源部に直接接触することがないため、感電する虞が無くなる。
Ｖ）接続の仕方は器具の標準構造で、取付け当初と同じ状態を維持することができるため、安定器交換後もＰＬ法の対象範囲は新製品と変わらない。
ＶＩ）スイッチが入りになっている場合には、誤まって安定器を安定器取付け台から取外すことが生じないため、照明器具の安全性や信頼性が向上する。
【発明を実施するための最良の形態】
【００２０】
以下、本発明の実施の形態を添付図面を参照して説明する。
図１〜図７は本発明を実施する形態の一例であって、図中、図１７〜図２２に示すものと同一の符号のものは同一のものを示す。
【００２１】
而して、本図示例においては、照明器具の器具本体５の下面には、安定器取付け台２７が止めネジ２８（図３参照）により固設されており、安定器取付け台２７には着脱自在に安定器２９が取付けられている。すなわち、安定器取付け台２７は長手方向一端側に形成されたブロック状部３０と、ブロック状部３０の上端に一体的に設けられて長手方向へ延在する天井部３１とを備え、天井部３１のブロック状部３０とは反対側の端部には、縦部材３２ａと水平部材３２ｂとにより形成されて側面形状が略Ｌ字型の押え３２が、水平ピン３３を介して垂直面内を回動し得るように枢支されている。ブロック状部３０の外側端面には、一端にランプソケット１４，１５が接続されたランプ線１２，１３の他端が接続されている。
【００２２】
押え３２は閉止した場合に水平部材３２ｂがブロック状部３０側に向うように形成されており、水平部材３２ｂの先端側には天井部３１側に向いて突出する突起部３２ｃが設けられている。突起部３２ｃは押え３２を閉止した状態で、縦部材３２ａ側に向けて上り勾配となり、且つ、その縦部材３２ａ側の先端は、水平部材３２ｂの面に向かうに従い縦部材３２ａから離反する側へ切れ込んだ斜面３２ｄを備えている。ブロック状部３０の下面には入り切り自在にスイッチ３４が設けられている。
【００２３】
ブロック状部３０の押え３２に向いた面には、複数（図示例では８個）の孔３５が上下二段に設けられており、孔３５には図５に示すようなクリップ状のコネクタ３６が、先端開口３６ａ側が押え３２側に向くように嵌め込まれている。
【００２４】
安定器２９は、安定器取付け台２７のブロック状部３０と押え３２と天井部３１とで包囲される空間にカセット式に収まる直方体形状で、安定器取付け台２７のブロック状部３０に取付けたコネクタ３６に対向する面には、安定器２９を安定器取付け台２７にセットした際に各コネクタ３６に嵌合するよう、刃状突起３７（図７参照）が設けられている。
【００２５】
又、安定器２９の下面には、安定器２９を安定器取付け台２７にセットして押え３２により安定器２９の下面を押えたときに、突起部３２ｃが嵌入する凹部２９ａが形成されている。凹部２９ａは、安定器２９を安定器取付け台２７にセットしたときに、押え３２の縦部材３２ａ側に向けて上り勾配となるよう形成されており、その先端部は下面に向かうに従い、縦部材３２ａ側から離反する方向へ向かうよう、斜面２９ｂを備えている（図６参照）。
【００２６】
而して、安定器２９が安定器取付け台２７にセットされている際には、安定器２９の刃状突起３７は、安定器取付け台２７のブロック状部３０に取付けたコネクタ３６に嵌合しており、押え３２は水平部材３２ｂが安定器２９の下面を支持し、突起部３２ｃは安定器２９の底面に設けた凹部２９ａに嵌合している。突起部３２ｃには斜面３２ｄが設けられており、凹部２９ａには斜面２９ｂが設けられていて、突起部３２ｃの斜面３２ｄは凹部２９ａの斜面２９ｂに係止するため、安定器２９は安定器取付け台２７に確実に保持されている。
【００２７】
劣化や機能向上のために、同一回路中の複数の照明器具のうち何れかの照明器具の安定器２９を交換する場合は、先ず蛍光ランプを取外し、次いで反射部材を取外した後に、当該照明器具の安定器取付け台２７に備えられているスイッチ３４を切り、安定器２９に電流が流れないようにする。
【００２８】
而して、スイッチ３４を切ったら当該照明器具における安定器取付け台２７の押え３２を上方へ回動させて開き、押え３２が安定器２９を支持しない状態にし、安定器２９を安定器取付け台２７のブロック状部３０から離反する方向へ水平移動させて、刃状突起３７をコネクタ３６から離脱させる。これによって、安定器２９は安定器取付け台２７から取外される。
【００２９】
次に新しい安定器２９を安定器取付け台２７の天井部３１下面に位置させて安定器取付け台２７のブロック状部３０側へ移動させ、安定器２９の刃状突起３７を安定器取付け台２７のブロック状部３０に設けたコネクタ３６に嵌入し、押え３２を下方へ回動させて、水平部材３２ｂを安定器２９の下面に位置させ、突起部３２ｃを凹部２９ａに嵌合する。
【００３０】
続いて、当該安定器取付け台２７のスイッチ３４を入れ、従来の場合と同様、反射部材、蛍光ランプの順に取付けることにより安定器２９の交換は完了する。
【００３１】
本図示例によれば、各照明器具の安定器取付け台２７にはスイッチ３４が設けられているため、安定器２９を交換する照明器具のみ停電させることができる。従って、他の照明器具は停電させずに使用することができ便利である。
【００３２】
又、安定器２９はカセット式であるため、安定器取付け台２７に対する脱着をワンタッチで行なうことができ、従って、作業時間を大幅に短縮でき能率が向上する。
【００３３】
更に、安定器２９と安定器取付け台２７とは、刃状突起３７及びコネクタ３６を介して電気的に接続されており、安定器２９と安定器取付け台２７との間で電源線及びランプ線の結線作業が不要であるため、誤結線が生じず照明器具の信頼性が向上する。
【００３４】
又更に、電源部に直接接触することがないため、感電する虞が無くなり、更に又、接続の仕方は器具の標準構造で、取付け当初と同じ状態を維持することができるため、安定器２９交換後もＰＬ法の対象範囲は新製品と変わらない。
【００３５】
図８〜図１１は、安定器取付け台２７のスイッチ３４が入りの場合には安定器２９を安定器取付け台２７から取外すことができず、安定器取付け台２７のスイッチ３４が切りの場合にのみ安定器２９を安定器取付け台２７から取外すことができるようにした照明器具の一例である。
【００３６】
図中、３８は安定器２９の安定器取付け台２７におけるブロック状部３０に向いた面に、ブロック状部３０側に向け突出するよう設けた被係合突起であり、該被係合突起３８はブロック状部３０の安定器２９に向いた面内側に設けた案内筒３９に嵌入されるようになっている。被係合突起３８には、下方及び安定器取付け台２７幅方向の両側方が開口した溝３８ａが形成されている。
【００３７】
又、安定器取付け台２７のブロック状部３０の下面に設けたスイッチ３４における案内筒３９に向いた側面には、安定器取付け台２７の側面視で略Ｌ型の係合部材４０が固設されており、安定器２９の被係合突起３８をブロック状部３０の案内筒３９に嵌合した状態でスイッチ３４を入りの状態にする際に、係合部材４０の縦材４０ａは、上方へ向け回動し、被係合突起３８の溝３８ａに下側方から入って被係合突起３８に対し係合し、スイッチ３４が入りになると、安定器２９は安定器取付け台２７から取外すことができないようになっている。更に、スイッチ３４を切りにする際には、係合部材４０の縦材４０ａは下方へ回動して被係合突起３８の溝３８ａから離脱し、安定器２９は安定器取付け台２７から取外し得るようになっている。４１は安定器取付け台２７長手方向へ延在するスイッチ３４の回動ピンである。
【００３８】
斯かる構成とすることにより、スイッチ３４が入りになっている場合には、誤まって安定器２９を安定器取付け台２７から取外すことが生じないため、照明器具の安全性や信頼性が向上する。
【００３９】
図１２〜図１６は、安定器取付け台２７のスイッチ３４が入りの場合には安定器２９を安定器取付け台２７から取外すことができず、安定器取付け台２７のスイッチ３４が切りの場合にのみ安定器２９を安定器取付け台２７から取外すことができるようにした照明器具の他の例である。図中、図８〜図１１に示すものと同一の符号のものは同一のものを示す。
【００４０】
而して、本図示例では、被係合突起３８は厚さ方向が上下方向へ向いた板状で、溝３８ａは、上下に貫通すると共に安定器２９の幅方向の一側部には開口が形成されている。斯かる構成とした場合も、係合部材４０の縦材４０ａはスイッチ３４を入りにする際、上方へ回動しつつ、下側方から溝３８ａに入り被係合突起３８に係合し、スイッチ３４を切りにする際には、溝３８ａの側方から離脱するようになっている。
【００４１】
斯かる構成としても図８〜図１１の例と同様、スイッチ３４が入りになっている場合には、誤まって安定器２９を安定器取付け台２７から取外すことが生じないため、照明器具の安全性や信頼性が向上する。
【００４２】
なお、本発明の照明器具においては、蛍光ランプを２本とする場合について説明したが、蛍光ランプが１本の場合にも適用可能なこと、その他、本発明の要旨を逸脱しない範囲内において種々変更を加え得ることは勿論である。
【図面の簡単な説明】
【００４３】
【図１】本発明の照明器具の一例を示す斜視図で、蛍光ランプ及び反射部材を取外した状態を示す斜視図である。
【図２】本発明の照明器具の一例を示す斜視図で、蛍光ランプ及び反射部材を取外した状態で新しい安定器取付け台に安定器を取付ける際の様子を示す斜視図である。
【図３】本発明の照明器具に適用する安定器取付け台の押えを開いて安定器を取外した状態を示す斜視図である。
【図４】本発明の照明器具に適用する安定器取付け台に安定器をセットして押えを閉止した状態の一例を示す斜視図である。
【図５】図３及び図４に示す安定器取付け台に設けるコネクタの斜視図である。
【図６】本発明の照明器具に適用する安定器の斜視図である。
【図７】図６の安定器に設ける刃状突起の斜視図である。
【図８】本発明の照明器具において、安定器取付け台のスイッチを入りにした場合は安定器を安定器取付け台から取外すことができず、安定器取付け台のスイッチを切りにした場合は安定器を安定器取付け台から取外すことができるようにした照明器具の一例で、安定器を安定器取付け台に取付けてスイッチを入りにした状態を示す断面図である。
【図９】図８のＩＸ−ＩＸ方向矢視図である。
【図１０】本発明の照明器具において、安定器取付け台のスイッチを入りにした場合は安定器を安定器取付け台から取外すことができず、安定器取付け台のスイッチを切りにした場合は安定器を安定器取付け台から取外すことができるようにした照明器具の一例で、スイッチを切りにして安定器を安定器取付け台から取外した状態を示す断面図である。
【図１１】図１０のＸＩ−ＸＩ方向矢視図である。
【図１２】本発明の照明器具において、安定器取付け台のスイッチを入りにした場合は安定器を安定器取付け台から取外すことができず、安定器取付け台のスイッチを切りにした場合は安定器を安定器取付け台から取外すことができるようにした照明器具の他の例で、安定器を安定器取付け台に取付けてスイッチを入りにした状態を示す断面図である。
【図１３】図１２のＸＩＩＩ−ＸＩＩＩ方向矢視図である。
【図１４】本発明の照明器具において、安定器取付け台のスイッチを入りにした場合は安定器を安定器取付け台から取外すことができず、安定器取付け台のスイッチを切りにした場合は安定器を安定器取付け台から取外すことができるようにした照明器具の他の例で、スイッチを切りにして安定器を安定器取付け台から取外した状態を示す断面図である。
【図１５】図１４のＸＶ−ＸＶ方向矢視図である。
【図１６】図１４のＸＶＩ方向矢視図である。
【図１７】照明器具の一般的な配置の状態を示す斜視図である。
【図１８】図１７に示す照明器具の分解斜視図である。
【図１９】図１８の照明器具に適用するランプソケット及び当該ランプソケットを取付ける部品の部分斜視図である。
【図２０】図１７に示す照明器具から蛍光ランプ及び反射部材を取外した状態を示す斜視図である。
【図２１】従来の照明機器の、交換する新しい安定器の斜視図である。
【図２２】従来の照明機器で安定器を交換した状態を示す斜視図である。
【符号の説明】
【００４４】
５ 器具本体
１２  ランプ線
１３  ランプ線
１４  ランプソケット
１５  ランプソケット
２４  反射部材
２６  蛍光ランプ
２７  安定器取付け台
２９  安定器
２９ａ 凹部
３０ ブロック状部
３１ 天井部
３２ 押さえ
３２ａ 縦部材
３２ｂ 水平部材
３２ｃ 突起
３４  スイッチ
３５ 孔
３６  コネクタ
３７  刃状突起
３８  被係合突起
３８ａ    溝
３９  案内筒（案内部）
４０  係合部材
【図１】
0004585410.tif 000002
【図２】
0004585410.tif 000003
【図３】
0004585410.tif 000004
【図４】
0004585410.tif 000005
【図５】
0004585410.tif 000006
【図６】
0004585410.tif 000007
【図７】
0004585410.tif 000008
【図８】
0004585410.tif 000009
【図９】
0004585410.tif 000010
【図１０】
0004585410.tif 000011
【図１１】
0004585410.tif 000012
【図１２】
0004585410.tif 000013
【図１３】
0004585410.tif 000014
【図１４】
0004585410.tif 000015
【図１５】
0004585410.tif 000016
【図１６】
0004585410.tif 000017
【図１７】
0004585410.tif 000018
【図１８】
0004585410.tif 000019
【図１９】
0004585410.tif 000020
【図２０】
0004585410.tif 000021
【図２１】
0004585410.tif 000022
【図２２】
0004585410.tif 000023